(57)【特許請求の範囲】
【請求項１】
テレビ受像機に対して動作を指示するリモコン信号を出力するリモコンを用いて、前記テレビ受像機にメニュー画面やコンテンツを表示するオンデマンド表示システムであって、
利用者が保有するテレビ受像機に接続されるオンデマンドコントローラ，前記利用者毎の利用者固有情報を有するオンデマンドコントロールセンタ，前記コンテンツを提供するコンテンツ提供元，がネットワークによって接続されており、
前記オンデマンドコントローラは、
前記リモコンのボタンが利用者によって選択操作されたときに出力されるリモコン信号を受信して解析し、選択操作されたボタンに対応する利用者の指示した要求をリモコン選択情報として出力するリモコン信号解析手段，
該リモコン信号解析手段から出力されたリモコン選択情報のうち、メニュー画面を要求するリモコン選択情報については前記オンデマンドコントロールセンタに送信するための信号処理を行い、コンテンツを要求するリモコン選択情報については前記コンテンツ提供元に送信するための信号処理を行うとともに、前記オンデマンドコントロールセンタからメニュー画面のデータを受信したときは前記テレビ受像機にメニュー画面の表示を行うための信号処理を行い、前記コンテンツ提供元からコンテンツのデータを受信したときは前記テレビ受像機にコンテンツの画面表示を行うための信号処理を行う信号処理手段，
前記オンデマンドコントロールセンタとの間では、メニュー画面及びコンテンツを要求するリモコン選択情報の送信と、メニュー画面のデータの受信を行い、前記コンテンツ提供元との間では、コンテンツを要求するリモコン選択情報の送信と、該当するコンテンツのデータの受信を行うデマンド側送受信手段，
を備えており、
前記オンデマンドコントロールセンタは、
前記オンデマンドコントローラとの間でデータの送受信を行うセンタ側送受信手段，
前記利用者固有情報を蓄積する利用者データベース，
前記センタ側送受信手段で受信したオンデマンドコントローラ側からのメニュー画面を要求するリモコン選択情報に基づき、前記利用者データベースの前記利用者固有情報を参照してメニュー画面を生成し、そのデータを前記センタ側送受信手段に送るメニュー画面生成手段，
前記センタ側送受信手段で受信した前記オンデマンドコントローラ側からのコンテンツを要求するリモコン選択情報に基づき、前記利用者データベースの利用者固有情報を蓄積ないし更新する情報管理手段，
を備えたことを特徴とするオンデマンド表示システム。
【請求項２】
前記オンデマンドコントロールセンタは、
ネットワーク上における各種の情報が集積されており、それらのＷｅｂ情報が前記情報管理手段によって管理されているＷｅｂ情報データベースを備えており、
前記メニュー画面生成手段は、前記メニュー画面の生成の際に、前記Ｗｅｂ情報データベースのＷｅｂ情報も参照することを特徴とする請求項１記載のオンデマンド表示システム。
【請求項３】
前記コンテンツ提供元には、ＴＶ局サイトを含むＷｅｂサイト，電波によってコンテンツを放送するＴＶ放送局，もしくはケーブルによってコンテンツを送信するケーブルＴＶ局が含まれており、
前記オンデマンドコントローラのデマンド側送受信手段が、前記ＴＶ局サイト，ＴＶ放送局，もしくはケーブルＴＶ局から、テレビ番組のコンテンツを受信することを特徴とする請求項１又は２記載のオンデマンド表示システム。
【請求項４】
独自のコンテンツが集積されており、それらのコンテンツが前記情報管理手段によって管理されているコンテンツデータベースを前記オンデマンドコントロールセンタが備えており、これにより、前記オンデマンドコントロールセンタが、コンテンツ提供元の前記Ｗｅｂサイトとして機能することを特徴とする請求項３記載のオンデマンド表示システム。
【請求項５】
前記コンテンツデータベースに付加画面のデータが蓄積されており、
前記リモコン信号解析手段から出力されたリモコン選択情報が、付加画面を要求するリモコン選択情報である場合に、
前記オンデマンドコントローラでは、
前記信号処理手段で、付加画面を要求するリモコン選択情報を前記オンデマンドコントロールセンタに送信するための信号処理を行うとともに、前記オンデマンドコントロールセンタに対して、前記デマンド側送受信手段で付加画面を要求するリモコン選択情報の送信を行い、
前記オンデマンドコントロールセンタでは、
前記センタ側送受信手段で前記付加画面を要求するリモコン選択情報を受信したときに、前記コンテンツデータベースから該当する付加画面のデータを取り出すとともに、前記利用者データベースを参照して、付加画面生成手段で付加画面を生成し、前記センタ側送受信手段で前記オンデマンドコントローラに対して、生成後の付加画面のデータを送信し、
前記オンデマンドコントローラでは、
前記デマンド側送受信手段で生成後の付加画面のデータを受信したときに、該生成後の付加画面のデータに基づいて、いずれかのコンテンツ提供元から提供されたコンテンツ画面に生成後の付加画面を付加する信号処理を前記信号処理手段で行って前記テレビ受像機に出力し表示することを特徴とする請求項４記載のオンデマンド表示システム。
【請求項６】
請求項１〜５のいずれか一項に記載のオンデマンド表示システムで使用され、
前記リモコンのボタンが利用者によって選択操作されたときに出力されるリモコン信号を受信して解析し、選択操作されたボタンに対応する利用者の指示した要求をリモコン選択情報として出力するリモコン信号解析手段，
該リモコン信号解析手段から出力されたリモコン選択情報のうち、メニュー画面を要求するリモコン選択情報については前記オンデマンドコントロールセンタに送信するための信号処理を行い、コンテンツを要求するリモコン選択情報については前記コンテンツ提供元に送信するための信号処理を行うとともに、前記オンデマンドコントロールセンタからメニュー画面のデータを受信したときは前記テレビ受像機にメニュー画面の表示を行うための信号処理を行い、前記コンテンツ提供元からコンテンツのデータを受信したときは前記テレビ受像機にコンテンツの画面表示を行うための信号処理を行う信号処理手段，
前記オンデマンドコントロールセンタとの間では、メニュー画面及びコンテンツを要求するリモコン選択情報の送信と、メニュー画面のデータの受信を行い、前記コンテンツ提供元との間では、コンテンツを要求するリモコン選択情報の送信と、該当するコンテンツのデータの受信を行うデマンド側送受信手段，
を備えたことを特徴とするオンデマンドコントローラ。
【請求項７】
請求項３記載のオンデマンド表示システムで使用され、
前記デマンド側送受信手段が、前記ＴＶ局サイト，ＴＶ放送局，もしくはケーブルＴＶ局から、テレビ番組のコンテンツを受信することを特徴とする請求項６記載のオンデマンドコントローラ。
【請求項８】
請求項５記載のオンデマンド表示システムで使用され、
前記信号処理手段で、付加画面を要求するリモコン選択情報を前記オンデマンドコントロールセンタに送信するための信号処理を行うとともに、前記オンデマンドコントロールセンタに対して、前記デマンド側送受信手段で付加画面を要求するリモコン選択情報の送信を行い、
前記オンデマンドコントロールセンタの前記センタ側送受信手段から送信された生成後の付加画面のデータを前記デマンド側送受信手段で受信したときに、該生成後の付加画面のデータに基づいて、いずれかのコンテンツ提供元から提供されたコンテンツ画面に生成後の付加画面を付加する信号処理を前記信号処理手段で行う，
ことを特徴とする請求項６又は７記載のオンデマンドコントローラ。
【請求項９】
請求項１〜５のいずれか一項に記載のオンデマンド表示システムで使用され、
前記オンデマンドコントローラとの間でデータの送受信を行うセンタ側送受信手段，
前記利用者固有情報を蓄積する利用者データベース，
前記センタ側送受信手段で受信したオンデマンドコントローラ側からのメニュー画面を要求するリモコン選択情報に基づき、前記利用者データベースを参照してメニュー画面を生成し、そのデータを前記センタ側送受信手段に送るメニュー画面生成手段，
前記センタ側送受信手段で受信した前記オンデマンドコントローラ側からのコンテンツを要求するリモコン選択情報に基づき、前記利用者データベースの利用者固有情報を蓄積ないし更新する情報管理手段，
を備えたことを特徴とするオンデマンドコントロールセンタ。
【請求項１０】
請求項２記載のオンデマンド表示システムで使用され、
ネットワーク上における各種の情報が集積されており、それらのＷｅｂ情報が前記情報管理手段によって管理されているＷｅｂ情報データベースを備えており、
前記メニュー画面生成手段は、前記メニュー画面の生成の際に、前記Ｗｅｂ情報データベースのＷｅｂ情報も参照することを特徴とする請求項９記載のオンデマンドコントロールセンタ。
【請求項１１】
請求項４記載のオンデマンド表示システムで使用され、
独自のコンテンツが集積されており、それらのコンテンツが前記情報管理手段によって管理されているコンテンツデータベースを前記オンデマンドコントロールセンタが備えており、これにより、前記オンデマンドコントロールセンタが、コンテンツ提供元の前記Ｗｅｂサイトとして機能することを特徴とする請求項９又は１０記載のオンデマンドコントロールセンタ。
【請求項１２】
請求項５記載のオンデマンド表示システムで使用され、
前記コンテンツデータベースに付加画面のデータが蓄積されており、
前記センタ側送受信手段で前記付加画面を要求するリモコン選択情報を受信したときに、前記コンテンツデータベースから該当する付加画面のデータを取り出すとともに、前記利用者データベースを参照して、付加画面生成手段で付加画面を生成し、前記センタ側送受信手段で前記オンデマンドコントローラに対して、生成後の付加画面のデータを送信することを特徴とする請求項１１記載のオンデマンドコントロールセンタ。
【発明の詳細な説明】
【技術分野】
【０００１】
本発明は、オンデマンド表示システム，オンデマンドコントローラ，オンデマンドコントロールセンタに関し、更に具体的には、利用者が保有する一般的なテレビ受像機でも、テレビ及びインターネットのコンテンツの視聴や閲覧を行うオンデマンド表示システム，オンデマンドコントローラ，オンデマンドコントロールセンタに関するものである。
【背景技術】
【０００２】
日本国内のテレビ放送は、キー局といわれる数局の放送局，その系列のローカル放送局，地域ごとのケーブルネット，ＢＳ／ＣＳ等の衛星電波による配信と、多様な配信網・ネット網が存在している。しかしながら、何れかの有料サービスと契約をしても全ての放送を視聴することはできず、煩雑で費用も嵩むものになっている。一方、各種情報の取得や動画等のコンテンツ視聴の手段としては、上述したテレビ放送の視聴のほか、インターネットを利用したＷｅｂサイトの閲覧（視聴も含む）がある。パソコン（パーソナル・コンピュータ：ＰＣ）や携帯端末等を用いることで、インターネット上の情報を得ることは可能であるが、所望の情報やコンテンツにアクセスするためには、複数の煩雑な操作を要する場合もある。また、パソコンの操作やＷｅｂ情報の検索について不慣れな初心者や高齢者等にあっては、そもそも所望の情報やコンテンツにアクセスすることすら不可能な場合もある。従って、インターネットを利用したＷｅｂ情報の閲覧は、誰でも容易に可能であるとまではいえない現状にある。
【０００３】
このような課題に対し、初心者や高齢者等にとっても容易な手順で各種インターネット上の情報・サイトにアクセスする方法として、下記特許文献１に示すインターネット用ポータル画面表示システムが開示されている。当該技術によれば、各種情報記憶媒体によって配布され、自動的に導入できるポータルソフトウェアを各個人の利用者の端末に導入する際、その端末ごとの使用ＯＳの判別・ソフトウェアの設定・起動を自動的に行い、端末の電源をいれると自動的にポータルソフトウェアが起動するように設定される。
【０００４】
一方、近年では、一つの表示装置を利用してテレビ番組の視聴とＷｅｂサイトの閲覧の双方が可能となってきており、テレビ機能とＷｅｂサイト閲覧機能等を切り替えるための技術も各種開発されている。例えば、下記特許文献２には、トップメニュー指示に応じて、利用可能な機能のメニュー項目を画面に表示し、機能が選択されたときに、その機能を実現する機器の接続状態を確認する手法が開示されている。これにより、多種多様な映像機器が種々のインターフェースを通じて接続されていても、利用者がどの映像機器がどのように使用可能であるかを画面上で確認しながら操作することができ、簡単かつ適切に機能を選択することが可能となっている。
【先行技術文献】
【特許文献】
【０００５】
【特許文献１】特開２００４−１２７０４３号公報
【特許文献２】特開２００６−９４４０６号公報
【発明の概要】
【発明が解決しようとする課題】
【０００６】
しかしながら、以上のような背景技術には次のような課題がある。まず、前記特許文献１に記載の技術では、ポータルソフトウェアを顧客の要望に合わせてカスタマイズすることが開示されているが、一度パソコンにインストールした後は、ポータル画面の表示が変わることはない。そのため、顧客が得たい情報や興味がその後に変わった場合などに対応することができない。また、特許文献２に記載の技術では、テレビの視聴とインターネット接続の切り替えを行うことは可能であっても、インターネット接続後のＷｅｂサイトの閲覧については、従来と同様に、利用者自身による検索等の操作が必要になるという不都合がある。
【０００７】
本発明は、以上のような点に着目したもので、利用者の関心の度合いに応じたコンテンツを優先的に選択，配信，表示することが容易で、テレビ受像機によってテレビ視聴とＷｅｂサイト閲覧が可能なオンデマンド表示システム，オンデマンドコントローラ，オンデマンドコントロールセンタを提供することを、その目的とする。
【課題を解決するための手段】
【０００８】
本発明のオンデマンド表示システムは、
テレビ受像機に対して動作を指示するリモコン信号を出力するリモコンを用いて、前記テレビ受像機にメニュー画面やコンテンツを表示するオンデマンド表示システムであって、
利用者が保有するテレビ受像機に接続されるオンデマンドコントローラ，前記利用者毎の利用者固有情報を有するオンデマンドコントロールセンタ，前記コンテンツを提供するコンテンツ提供元，がネットワークによって接続されており、
前記オンデマンドコントローラは、
前記リモコンのボタンが利用者によって選択操作されたときに出力されるリモコン信号を受信して解析し、選択操作されたボタンに対応する利用者の指示した要求をリモコン選択情報として出力するリモコン信号解析手段，
該リモコン信号解析手段から出力されたリモコン選択情報のうち、メニュー画面を要求するリモコン選択情報については前記オンデマンドコントロールセンタに送信するための信号処理を行い、コンテンツを要求するリモコン選択情報については前記コンテンツ提供元に送信するための信号処理を行うとともに、前記オンデマンドコントロールセンタからメニュー画面のデータを受信したときは前記テレビ受像機にメニュー画面の表示を行うための信号処理を行い、前記コンテンツ提供元からコンテンツのデータを受信したときは前記テレビ受像機にコンテンツの画面表示を行うための信号処理を行う信号処理手段，
前記オンデマンドコントロールセンタとの間では、メニュー画面及びコンテンツを要求するリモコン選択情報の送信と、メニュー画面のデータの受信を行い、前記コンテンツ提供元との間では、コンテンツを要求するリモコン選択情報の送信と、該当するコンテンツのデータの受信を行うデマンド側送受信手段，
を備えており、
前記オンデマンドコントロールセンタは、
前記オンデマンドコントローラとの間でデータの送受信を行うセンタ側送受信手段，
前記利用者固有情報を蓄積する利用者データベース，
前記センタ側送受信手段で受信したオンデマンドコントローラ側からのメニュー画面を要求するリモコン選択情報に基づき、前記利用者データベースの前記利用者固有情報を参照してメニュー画面を生成し、そのデータを前記センタ側送受信手段に送るメニュー画面生成手段，
前記センタ側送受信手段で受信した前記オンデマンドコントローラ側からのコンテンツを要求するリモコン選択情報に基づき、前記利用者データベースの利用者固有情報を蓄積ないし更新する情報管理手段，
を備えたことを特徴とする。
【０００９】
主要な形態の一つによれば、前記オンデマンドコントロールセンタは、ネットワーク上における各種の情報が集積されており、それらのＷｅｂ情報が前記情報管理手段によって管理されているＷｅｂ情報データベースを備えており、前記メニュー画面生成手段は、前記メニュー画面の生成の際に、前記Ｗｅｂ情報データベースのＷｅｂ情報も参照することを特徴とする。
他の形態の一つによれば、前記コンテンツ提供元には、ＴＶ局サイトを含むＷｅｂサイト，電波によってコンテンツを放送するＴＶ放送局，もしくはケーブルによってコンテンツを送信するケーブルＴＶ局が含まれており、前記オンデマンドコントローラのデマンド側送受信手段が、前記ＴＶ局サイト，ＴＶ放送局，もしくはケーブルＴＶ局から、テレビ番組のコンテンツを受信することを特徴とする。
更に他の形態によれば、独自のコンテンツが集積されており、それらのコンテンツが前記情報管理手段によって管理されているコンテンツデータベースを前記オンデマンドコントロールセンタが備えており、これにより、前記オンデマンドコントロールセンタが、コンテンツ提供元の前記Ｗｅｂサイトとして機能することを特徴とする。
更に他の形態によれば、前記コンテンツデータベースに付加画面のデータが蓄積されており、前記リモコン信号解析手段から出力されたリモコン選択情報が、付加画面を要求するリモコン選択情報である場合に、前記オンデマンドコントローラでは、前記信号処理手段で、付加画面を要求するリモコン選択情報を前記オンデマンドコントロールセンタに送信するための信号処理を行うとともに、前記オンデマンドコントロールセンタに対して、前記デマンド側送受信手段で付加画面を要求するリモコン選択情報の送信を行い、前記オンデマンドコントロールセンタでは、前記センタ側送受信手段で前記付加画面を要求するリモコン選択情報を受信したときに、前記コンテンツデータベースから該当する付加画面のデータを取り出すとともに、前記利用者データベースを参照して、付加画面生成手段で付加画面を生成し、前記センタ側送受信手段で前記オンデマンドコントローラに対して、生成後の付加画面のデータを送信し、前記オンデマンドコントローラでは、前記デマンド側送受信手段で生成後の付加画面のデータを受信したときに、該生成後の付加画面のデータに基づいて、いずれかのコンテンツ提供元から提供されたコンテンツ画面に生成後の付加画面を付加する信号処理を前記信号処理手段で行って前記テレビ受像機に出力し表示することを特徴とする。
【００１０】
本発明のオンデマンドコントローラ及びオンデマンドコントロールセンタは、前記いずれかのオンデマンド表示システムで使用されることを特徴とする。本発明の前記及び他の目的，特徴，利点は、以下の詳細な説明及び添付図面から明瞭になろう。
【発明の効果】
【００１１】
本発明によれば、利用者のテレビ受像機に接続したオンデマンドコントローラからメニュー画面の表示を要求すると、オンデマンドコントロールセンタでは、利用者固有情報やＷｅｂ情報を反映した利用者の興味を引くようなメニュー画面を生成し、これがテレビ受像機に表示される。表示されたメニュー画面から利用者が特定のコンテンツを選択すると、その選択に対応するコンテンツがＷｅｂサイト等のコンテンツ提供元から提供され、テレビ受像機に表示される。このため、利用者は、その関心度やＷｅｂサイトの人気度を反映したコンテンツに容易にアクセスできるようになる。
【図面の簡単な説明】
【００１２】
【図１】本発明の実施例の全体構成を示すブロック図である。
【図２】実施例１におけるメニュー画面の表示手順を示すフローチャートである。
【図３】実施例１におけるコンテンツの視聴・閲覧手順を示すフローチャートである。
【図４】実施例１で表示される画面の一例である。
【図５】本発明の実施例３で表示される画面の一例である。
【図６】実施例３におけるテロップ等の表示手順を示すフローチャートである。
【発明を実施するための形態】
【００１３】
以下、本発明を実施するための形態を、実施例に基づいて詳細に説明する。
【実施例１】
【００１４】
最初に、図１〜図４を参照しながら本発明の実施例１を説明する。図１は、本実施例のオンデマンド表示システムの全体構成を示すブロック図である。図２は、本実施例によるメニュー画面の表示手順を示すフローチャートであり、図３は、本実施例によるコンテンツの視聴・閲覧手順を示すフローチャートである。図４は、前記視聴・閲覧手順の際にテレビ受像機（テレビジョン受像機）の表示部に表示される画面の一例である。本実施例のオンデマンド表示システムは、テレビ受像機に対して赤外線通信等によるリモコン信号を発信して動作指示を行うリモコン（リモートコントローラ）を用い、テレビ受像機でテレビ番組の視聴とＷｅｂサイトの閲覧（動画の視聴等も含む）の双方を行うシステムである。
【００１５】
図１に示すように、オンデマンド表示システム１００では、利用者（ユーザ）１０が保有するテレビ受像機１２，そのリモコン２０，前記テレビ受像機１２に接続されるオンデマンドコントローラ３０と、利用者１０の属性情報等を有する利用者データベース５２，画面生成部６２等を有するオンデマンドコントロールセンタ（以下単に「コントロールセンタ」という。）５０が、インターネット４０を介して接続されている。前記インターネット４０には、テレビ番組をオンデマンドでインターネット配信するＴＶ局サイト７０やＷｅｂサイト７２が多数接続されている。なお、ＴＶ局サイト７０も、Ｗｅｂサイト７２の一つであるが、以下の説明では、特に区別して説明することとする。また、電波でテレビ放送を行うＴＶ放送局７１やケーブルＴＶ局７４，利用者１０が保有するスマートフォン等の移動通信端末８０については、他の実施例として後述する。ＴＶ放送局１７１の電波を受信するアンテナ１１６がテレビ受像機１２に接続されている場合についても、同様に後述する。
【００１６】
利用者１０が保有するテレビ受像機１２は、リモコン２０による操作が可能なものであれば、既存のテレビ受像機を用いることができる。前記リモコン２０の構成も公知の各種のものが利用でき、その操作ボタンの配置等も各種多様なものがあるが、図示の例では、電源ボタン２２，数字ボタン２４，上下左右などの方向を指定する方向選択ボタン２６，選択したメニュー等を決定するための決定ボタン２８等を備えた構成となっている。他に、前音量調節ボタンや、ビデオとテレビの入力切替ボタン等の各種のボタンが必要に応じて設けられている。
【００１７】
前記オンデマンドコントローラ１０は、前記テレビ受像機１２に接続されるものであって、リモコン信号解析部３２，送受信部３４，信号処理部３６，メモリ３８を備えている。前記送受信部３４は、インターネット４０を介してデータの送受信を行うためのもので、公知のモデムなどによって構成されている。
【００１８】
前記リモコン信号解析部３２は、
(1)前記リモコン２０から発信されたリモコン信号を受信して、該リモコン信号に割り当てられた動作を解析する機能，
(2)該解析結果に対応する動作を信号処理部３６に要求する機能，
(3)該解析結果を、送受信部３４を介してコントロールセンタ５０にリモコン選択情報として報告する機能，
を備えている。
【００１９】
具体的には、
(1)メニュー画面の表示要求の場合には、後述するコントロールセンタ５０に対してメニュー画面の表示要求を行う。
(2)前記テレビ局サイト７０，Ｗｅｂサイト７２，あるいは、コントロールセンタ５０に対するインターネット４０を介したコンテンツ配信要求の場合には、送受信部３４を通じてコンテンツ配信を要求する。
(3)受信したコンテンツの画面にテロップなどの付加画面の合成を要求する。
といった具合である。このように、利用者は、前記リモコン２０のボタン２２〜２８の操作により、メニューの要求やコンテンツの選択，付加画面の合成といった動作の指示を行うことができる。
【００２０】
前記リモコン信号解析部３２と送受信部３４との間には、信号処理部３６が設けられている。この信号処理部３６は、
(1)リモコン信号解析部３２の解析結果に基づく、ＴＶ局サイト７０の放送番組のデータ送信要求処理，
(2)リモコン信号解析部３２の解析結果に基づく、インターネット４０を介したＷｅｂサイト７２に対するホームページや動画等のデータ送信要求処理，
(3)受信したコンテンツや選択したテレビ番組のテレビ受像機１２への出力処理，
(4)受信したコンテンツの画面にテロップ等の付加画面を合成する処理，
といった機能を備えている。
【００２１】
前記メモリ３８は、
(1)表示されたホームページのデータのキャッシュ，
(2)リモコン信号解析に必要なボタンと命令との関係を示すデータの保存，
(3)信号処理時における一時的なデータの保存，
などに利用されるものである。例えば、Ｗｅｂサイト７２のホームページ閲覧が選択された場合に、前記メモリ３８に保存されるキャッシュデータを利用することで、当該ホームページの表示を迅速に行うことができる。
【００２２】
次に、コントロールセンタ５０について説明すると、コントロールセンタ５０は、利用者データベース５２，Ｗｅｂ情報データベース５４，コンテンツデータベース５６，送受信部５８，情報管理部６０，画面生成部６２，配信部６４を備えている。利用者データベース５２，Ｗｅｂ情報データベース５４，コンテンツデータベース５６は、情報管理部６０及び画面生成部６２に接続されている。インターネット４０を介してデータの送受信を行う送受信部５８は、情報管理部６０及び配信部６４に接続されており、配信部６４は、画面生成部６２及びコンテンツデータベース５６に接続されている。
【００２３】
これらのうち、利用者データベース５２は、本実施例のオンデマンド表示システム１００を利用する利用者１０の各種属性等を集積したものであり、例えば、利用者Ａ，利用者Ｂ，・・・ごとに、その属性情報やＷｅｂ利用履歴，メニュー画面からのコンテンツ選択履歴などが記憶されている。前記属性情報としては、例えば、年齢，性別，居住地域，職業，給料日，家族構成，趣味などのデータが記録されている。他に、視聴回数の多いテレビ番組，閲覧回数の多いＷｅｂサイト，Ｗｅｂ閲覧履歴，利用者１０ごとのシステム１００の利用状況なども必要に応じて集積される。以下、利用者データベース５２に集積されている利用者ごとの情報を「利用者固有情報」と総称する。利用者固有情報は、利用者がテレビ番組を視聴したり、ホームページを閲覧する度に更新され、かかる更新を繰り返すことで、利用者個々の興味や関心のあるコンテンツを的確に把握して、メニュー画面に反映することができるようになる。
【００２４】
次に、前記Ｗｅｂ情報データベース５４には、ＷｅｂサイトのＵＲＬ，アクセス数，人気度，頻度の高い検索キーワード等の情報（以下「Ｗｅｂ情報」と総称する。）が集積されている。コンテンツデータベース５６には、例えば、コントロールセンタ５０が独自に提供するコンテンツなどが記憶されている。独自のコンテンツには、動画，静止画，電子書籍，ゲーム，音楽などの他、ＣＭ，ニュース，各種案内などの情報も集積されている。後述するように、ＣＭ，ニュース，各種案内などのコンテンツは、付加画面として、テレビ視聴画面やＷｅｂ閲覧画面上にテロップ等として挿入される場合がある。
【００２５】
前記画面生成部６２は、メニュー画面生成プログラム６２Ａ及び付加画面生成プログラム６２Ｂを含んでいる。これらのうち、メニュー画面生成プログラム６２Ａは、前記オンデマンドコントローラ３０からのメニュー画面の要求に応じて、前記利用者データベース５２やＷｅｂ情報データベース５４を参照し、利用者固有情報やＷｅｂ情報を反映した、コンテンツを選択する利用者ごとのメニュー画面を生成するものである。一方、前記付加画面生成プログラム６２Ｂは、コンテンツデータベース５６から該当するデータを取り出して、テレビ受像機１２の画面１４に表示される各種のテロップ，ＣＭ，案内などの付加画面を生成するものである。それらの付加画面生成の際には、前記利用者データベース５２やＷｅｂ情報データベース５４が必要に応じて参照され、利用者固有情報やＷｅｂ情報を反映したものが生成される。画面生成部６２で生成されたメニュー画面や付加画面は、利用者１０からの要求に応じて、あるいは、所定のタイミングで、前記送受信部５８を介してオンデマンドコントローラ３０に送信される。
【００２６】
前記配信部６４は、前記オンデマンドコントローラ３０からのメニュー画面や付加画面の要求や、センタ独自の動画等のコンテンツの配信要求を前記画面生成部６２やコンテンツデータベース５６に伝えるとともに、それらに応じて、前記画面生成部６２で生成したメニュー画面や付加画面のデータ，コンテンツデータベース５６から選択したセンタ独自のコンテンツデータを、前記送受信部５８を介して前記オンデマンドコントローラ３０に送信する機能を備えている。
【００２７】
次に、情報管理部６０は、前記利用者データベース５２，Ｗｅｂ情報データベース５４，コンテンツデータベース５６におけるデータの収集，更新，解析，集計などの管理を行うものである。本実施例では、前記利用者データベース５２に蓄積される利用者固有情報として、前記リモコン信号解析部３２による解析結果、すなわち利用者がメニューからどのようなコンテンツや番組を選択したかといったデータが含まれる。従って、それらのデータも考慮して情報管理部６０でデータ解析を行うことで、利用者１０ごとの特長（個性）を分析し、関心のあるコンテンツを予測することが可能となる。具体的には、前記メニュー画面生成プログラム６２Ａでメニュー画面を生成する度に、利用者１０の属性や興味等を反映した最新のメニュー画面を提供することができる。付加画面生成プログラム６２Ｂによるテロップ等の付加画面の生成の場合も同様である。
【００２８】
いわば、前記コントロールセンタ５０内に、利用者Ａに対応する擬似人格Ａ´を形成し、該擬似人格Ａ´のデータを基に行動を予測して画面表示を行うことにより、個々の利用者に対応したメニュー表示や、各種情報提供，ＣＭ配信などを行うと考えることができる。また、メニュー表示指示が行われる時点においては、表示の際のフォーマットやＵＲＬ等が変更されることも予想されるが、前記情報管理部６０によりＷｅｂ情報データベース５４を管理することにより、それらの変更に柔軟に対処できるようになっている。
【００２９】
次に、図２を参照して、本実施例のシステムを利用したメニュー画面の表示手順について説明する。まず、利用者１０が、テレビ受像機１２のリモコン２０の操作により、メニュー表示指示の信号を発信する（図２のステップＳ１０）。該メニュー表示指示が、リモコンの各種ボタン２２〜２８のいずれの操作によって行われるかは、事前に設定されたところによる。本実施例では、例えば、電源ボタン２２の操作により、図４(A)に示すようなメニューボタンＭ１，Ｍ２の画面１４が表示される。そして、リモコン２０でいずれかのメニューボタンが選択されると、その旨がリモコン信号解析部３２で解析され、メニュー表示指示の信号が、信号処理部３６及び送受信部３４を介してコントロールセンタ５０に送出される（ステップＳ１２）。
【００３０】
コントロールセンタ５０側では、送受信部５８を介してメニュー表示指示を受信すると、その旨が配信部６４から画面生成部６２に伝えられ、メニュー画面生成プログラム６２Ａが実行される。メニュー画面生成プログラム６２Ａは、必要に応じて利用者データベース５２やＷｅｂ情報データベース５４を参照し、要求元の利用者１０の属性等に対応したメニュー画面を生成する。前記利用者データベース５２の利用者固有情報を参照することにより、利用者１０の属性や興味を反映したメニュー画面が生成される。生成されたメニュー画面のデータは、配信部６４，送受信部５８及びインターネット４０を介してオンデマンドコントローラ３０に送信され（ステップＳ１４）、送受信部３４で受信される（ステップＳ１６）。受信したメニュー画面のデータは、信号処理部３６でテレビ受像機用の信号変換等の処理が施され（ステップＳ１８）、メニュー画面がテレビ受像機１２に表示される（ステップＳ２０）。
【００３１】
前記ステップＳ２０によって表示されるメニュー画面としては、例えば、前記図４(A)に示す初期画面において、メニューボタンＭ１の選択によりＴＶ番組のメニュー表示が指示されたとすると、図４(B)に示すようなメニュー画面がコントロールセンタ５０で生成され、利用者１０側のテレビ受像機１２に表示される。図４(B)に示す例では、メニュー表示指示の時間帯，曜日や利用者の年齢・性別・趣味等の属性，過去の視聴履歴等，番組の人気度等を考慮して、利用者１０が視聴する可能性が高いと思われるテレビ番組を選択するためのメニューＭＴ１，ＭＴ２，ＭＴ３・・・が、上から順に表示されている。前記図４(B)に示す画面において、「戻る」ボタンＢ１を押すと前記図４(A)に示す画面に戻り、「次へ」ボタンＢ２を押すと、次のメニュー画面（例えば、メニューＭＴ６〜ＭＴ１０まで）が表示される。
【００３２】
また、前記図４(A)に示す初期画面において、メニューボタンＭ２の選択によりインターネットのメニューの表示が指示されたとすると、図４(C)に示すようなメニュー画面がコントロールセンタ５０で生成され、利用者１０のテレビ受像機１２に表示される。図４(C)に示す例では、メニュー表示指示の時間帯，曜日や利用者の年齢・性別・趣味等の属性，過去の閲覧履歴，Ｗｅｂサイトのランキング等を考慮して、利用者１０が閲覧する可能性が高いと思われるＷｅｂサイトを選択するためのメニューＭＷ１，ＭＷ２，ＭＷ３，ＭＷ４・・・が、上から順に表示されている。ここで、「戻る」ボタンＢ１を押すと前記図４(A)に示す画面に戻り、「次へ」ボタンＢ２を押すと、次のメニュー画面（例えば、メニューＭＷ６〜ＭＷ１０まで）が表示される。あるいは、「番号指定」ボタンＢ３を押し、図示しない数値入力欄に、例えば、４ケタの数字を入力することにより、あらかじめその４ケタの数値に割り当てられたメニューを表示するようにしてもよい。なお、図４(C)に示す例では、例えば、アクセス頻度が高いＷｅｂサイト順にメニュー表示を行うこととしたが、図４(D)に示す例のように、利用者１０の関心の高いカテゴリ別のメニューＭＣ１〜ＭＣ５を順に表示してもよい。そして、図４(D)に示す画面において、例えば、「１．動画」のカテゴリメニューＭＣ１が選択されたときには、利用者１０による利用頻度の高い動画サイトを、図４(E)に示すように、メニューＭＣ１１〜ＭＣ１５として表示するようにしてもよい。
【００３３】
次に、図３も参照しながら、本実施例のシステム１００を利用したコンテンツ表示手順の一例について説明する。まず、利用者１０のテレビ受像機１２の画面１４には、メニュー画面が表示されている（図３のステップＳ３０）。ここで表示されているメニュー画面は、例えば、図４(B)に示すテレビ番組のメニュー画面や、図４(C)又は図４(E)に示すＷｅｂサイトのメニュー画面である。該メニュー画面のデータには、テレビ局サイト７０やＷｅｂサイト７２へアクセスするためのＵＲＬ情報が埋め込まれている。ここで、利用者１０が、リモコン２０の操作（例えば、方向選択ボタン２６及び決定ボタン２８）の操作により、所望のメニューを選択すると（ステップＳ３２）、オンデマンドコントローラ３０のリモコン信号解析部３２において、選択されたコンテンツがＴＶ番組又はＷｅｂコンテンツであるかが判断され（ステップＳ３４）、テレビ番組又はＷｅｂコンテンツである場合（ステップＳ３４でＹｅｓ）には、対応するＵＲＬ情報等に基づいて、選択されたテレビ局サイト７０又はＷｅｂサイト７２の所望のＷｅｂページにインターネット４０を介してアクセスする（ステップＳ３６）。このとき、選択されたアクセス先が頻繁にアクセスされている場合には、前記メモリ３８のキャッシュデータを利用して速やかにホームページの表示を行うことができる。
【００３４】
そして、前記テレビ局サイト７０やＷｅｂサイト７２から送受信部３４で受信したデータは、信号処理部３６を経由することで、必要な処理が施され（ステップＳ３８）、テレビ受像機１２にコンテンツとして表示される（ステップＳ４０）。すなわち、メニューの選択内容に応じたテレビ番組の視聴又はＷｅｂサイトの閲覧が行われる。図４(F)には、前記図４(C)の画面においてメニューＭＷ２が選択された場合，あるいは、図４(E)の画面においてメニューＭＣ１１が選択された場合に表示される動画投稿サイトＹのトップページＷＳの例が示されている。
【００３５】
一方、前記ステップＳ３４において、選択されたコンテンツがＴＶ番組でもＷｅｂコンテンツでもなく（ステップＳ３４でＮｏ），コントロールセンタ独自の動画等のコンテンツが要求されている場合には、リモコン信号解析部３２から送受信部３４を通じて、コントロールセンタ５０へその旨の信号が送信される（ステップＳ４２）。コントロールセンタ５０では、前記信号を送受信部５８で受信し、配信部６４により、要求に対応するコンテンツをコンテンツデータベース５６から取得する。取得したコンテンツは、配信部６４を介してオンデマンドコントローラ３０へデータ送信する（ステップＳ４４）。そして、オンデマンドコントローラ３０は、送受信部３４を介して受信したコンテンツデータに、信号処理部３６で必要な処理を施し（ステップＳ４６）、テレビ受像機１２にコンテンツを表示する（ステップＳ４８）。なお、コントロールセンタ５０も、Ｗｅｂサイトの１つであると考えることができ、その場合には、ＵＲＬに基づいてアクセス可能である。
【００３６】
一方、上述したコンテンツの表示手順において、前記ステップＳ３２で利用者がメニューから何を選択したかといったリモコン選択情報は、前記テレビ局サイト７０やＷｅｂサイト７２へのコンテンツ配信要求（ステップＳ３４，Ｓ３６，Ｓ４２）と同時に、コントロールセンタ５０に対して送信される（ステップＳ５０）。このリモコン選択情報は、インターネット４０及び送受信部５８を介してコントロールセンタ５０において受信され、情報管理部６０によって利用者データベース５２に蓄積され、あるいはその更新が行われる。前記図２に示したメニュー画面の生成においては、このようにして得た利用者のリモコン選択情報を反映した利用者データベース５２を参照することにより行われるため、利用者にとって関心度が高いコンテンツを優先的に表示させることが可能となる。
【００３７】
このように、実施例１によれば、利用者１０のテレビ受像機１２に接続したオンデマンドコントローラ３０，コントロールセンタ５０，テレビ局サイト７０，Ｗｅｂサイト７２がインターネット４０に接続されており、前記コントールセンタ５０で利用者１０ごとに属性情報やシステムの利用状況等の利用者固有情報が管理される。そして、前記テレビ受像機１２のリモコン２０から発信されたリモコン信号に基づき、前記オンデマンドコントローラ３０がメニュー画面の表示を要求すると、コントロールセンタ５０では、前記利用者１０の属性等の利用者固有情報を参照し、利用者固有情報を反映したメニュー画面を生成し、そのデータをオンデマンドコントローラ３０に送信する。このとき、必要があれば、サイトのアクセスランキングなどのＷｅｂ情報も反映したメニュー画面を生成する。表示されたメニュー画面から利用者１０が特定のメニューを選択すると、その選択に応じたコンテンツをテレビ局サイト７０やＷｅｂサイト７２等からインターネット４０経由で受信する。一方、コントロールセンタ５０に対しては、リモコン選択情報を送信し、該コントロールセンタ５０では、受信したリモコン選択情報を利用者固有情報として利用者データベース５２に蓄積する。
【００３８】
これにより、次のような効果がある。
(1)既存のテレビ受像機１２及びそのリモコン２０を用いて、容易にテレビ番組の視聴とＷｅサイトの閲覧が可能になる。
(2)利用者固有情報をコントロールセンタ５０により管理し、利用者１０の属性や閲覧履歴を反映したメニュー画面を生成することとしたので、利用者１０ごとの関心度を反映したコンテンツが優先的に選択・配信可能となる。
(3)Ｗｅｂ情報をＷｅｂ情報データベース５４により管理し、前記利用者固有情報に加えて、サイトの人気度などのＷｅｂ情報も反映したメニュー画面を生成することとしたので、利用者１０ごとの関心度に加えて、Ｗｅｂ全体としての関心度も考慮したコンテンツが優先的に選択・配信可能となる。これにより、利用者１０は、常に最新の情報やコンテンツにアクセスすることが容易となる。
【実施例２】
【００３９】
次に、本発明の実施例２について説明する。前記実施例では、図１に示したように、テレビ番組のデータがＴＶ局サイト７０からインターネット４０を経由して利用者１０に送信される場合を示したが、本実施例では、地上波，ＢＳ，ＣＳなどのＴＶ放送局７１から出力された電波をアンテナ１６で受信するか、ケーブルＴＶ局７４からケーブルで受信する。アンテナ１６及びケーブルＴＶ局７４は、オンデマンドコントローラ３０の送受信部３４に接続されている。
【００４０】
利用者１０がリモコン２０でＴＶ放送局７１の電波によるテレビ放送の番組や、ケーブルＴＶ局７４からのケーブルによる番組を選択したときは、ＴＶ放送局７１もしくはケーブルＴＶ局７４の受信信号から該当するチャンネルの信号が信号処理部３６で選択される。そして、選択されたチャンネルの信号は、所定の処理の後、テレビ受像機１２に送られ、テレビ番組が表示される。以上の動作は、通常のテレビ視聴における場合と同様である。
【００４１】
一方、本実施例においても、利用者１０がいずれのチャンネルないしコンテンツを選択したかといったリモコン選択情報が、送受信部３４，インターネット４０を介してコントロールセンタ５０に送信され、利用者データベース５２に蓄積されるので、メニュー画面生成の際に反映することとなる。
【００４２】
次に、利用者によっては、図１に示すように、テレビ受像機１２に、ＴＶ放送局１７１の電波を受信するアンテナ１１６が接続されている場合がある。このような場合に、利用者がリモコン２０でいずれかのテレビチャンネルを選択したとすると、テレビ受像機１２で直接リモコン２０からの信号が受信されてチャンネルが切り替えられ、放送中の番組がテレビ受像機１２に表示される。この動作は、一般的なテレビの動作と同様である。
【００４３】
しかし、本実施例では、この場合においても、利用者１０がいずれのチャンネルを選択したかといったリモコン選択情報が、送受信部３４，インターネット４０を介してコントロールセンタ５０に送信され、利用者データベース５２に蓄積される。なお、利用者が選択したチャンネルと番組内容との対応関係は、選択したチャンネルと時刻の情報に基づいてＴＶ放送局１７１の番組表を参照することで簡単に知ることができ、それらの情報も、メニュー画面生成の際に反映されることとなる。
【実施例３】
【００４４】
次に、図５及び図６を参照しながら本発明の実施例３を説明する。本実施例は、上述した実施例１によるメニュー生成と表示に加え、利用者の関心度を反映した有益な情報を所定のタイミングで、あるいは、利用者からの要求に応じてテレビ受像機１２に表示するものである。本発明では、テレビコンテンツやＷｅｂコンテンツを、オンデマンドコントローラ３０を経由してテレビ受像機１２に表示する構成となっている。このため、オンデマンドコントローラ３０を利用することで、それらのコンテンツにテロップを付加する，テレビ番組のＣＭをカットもしくは変更する，コンテンツの切替中にＣＭを挿入する，その他の案内情報をコンテンツに付加することなどの処理を容易に行うことができる。
【００４５】
例えば、図５(A)に示す例では、リモコン２０で電源をＯＮにした直後の待受け画面において、テロップＴＡやＴＢを画面１４の上下に流すこととしている。前記テロップＴＡには、日付時刻情報Ｔ１と天気情報Ｔ２が表示されており、テロップＴＢには、ニュースのヘッドライン情報Ｔ３が表示されている。前記テロップＴＡやＴＢは、前記利用者データベース５２の利用者固有情報やＷｅｂ情報データベース５４のＷｅｂ情報を参照することにより、コントロールセンタ５０の画面生成部６２の付加画面生成プログラム６２Ｂが生成したものである。このように利用者固有情報等を参照してテロップ等を生成して流すことにより、利用者が関心のある内容のテロップ等が表示されるようになり、システム１００の有用性の向上を図ることができる。
【００４６】
前記テロップ，ＣＭ，各種案内等の付加画面は、コントロールセンタ５０から所定のタイミングで，あるいは、利用者があらかじめ設定したタイミングでオンデマンドコントローラ３０へ送信するようにしてもよいが、利用者のリモコン２０の操作による要求に基づいて送信するようにしてもよい。例えば、地震などが発生したときは、その都度テロップを流す，利用者がスマートフォンに関心があるときはテレビ番組中のＣＭをスマートフォンのＣＭに変更する，利用者が交通情報の表示を指示したときは交通情報のテロップを流すといった具合である。
【００４７】
例えば、前記実施例１のコンテンツ表示手順のステップＳ４０やＳ４８において、テレビ受像機１２の画面１４でコンテンツを表示しているときに（図６のステップＳ６０）、利用者がリモコン２０の操作により、テロップ，ＣＭ，案内等の付加画面の表示を要求したとする（ステップＳ６２）。この要求は、あらかじめリモコン２０の特定のボタンに機能を割り当てるようにしていてもよいし、表示中のコンテンツに、これらテロップ等の配信を要求するためのボタン等を表示し、該ボタンを画面上で選択するようにしてもよい。オンデマンドコントローラ３０が、リモコン信号解析部３２により、リモコン信号を解析して付加画面の表示要求であると判断したときは、信号処理部３６及び送受信部３４を介して、コントロールセンタ５０へその旨の信号を送信する（ステップＳ６４）。
【００４８】
コントロールセンタ５０では、要求に対応する付加画面を、コンテンツデータベース５６を参照しつつ、画面生成部６２の付加画面生成プログラム６２Ｂによって生成する。このとき、前記メニュー画面の生成の場合と同様に、利用者データベース５２やＷｅｂ情報データベース５４が参照され、利用者の属性等を反映した付加画面が生成される。コントロールセンタ５０は、生成した付加画面のデータを、配信部６４及び送受信部５８を介してオンデマンドコントローラ３０に送信する（ステップＳ６６）。オンデマンドコントローラ３０は、送受信部３４を介して受信した付加画面のデータに、信号処理部３６で必要な加工・変換等の処理を施し（ステップＳ６８）、画面１４にテロップ等を付加して表示する（ステップＳ７０）。その結果、テレビ番組を視聴中であれば、それに加えてテロップが流れるようになる。また、利用者がリモコン２０によってＣＭカットを指示したときは、テレビ番組のＣＭをカットして、コントロールセンタが生成したＣＭや案内に差し替えたり、コンテンツの切替中にＣＭを挿入するといったことが可能となる。
【００４９】
なお、以上のような付加画面の表示の際も、前記ステップＳ６２において利用者が要求したリモコン選択情報は、前記コントロールセンタ５０への付加画面の配信要求（ステップＳ６４）と同時に、前記コントロールセンタ５０へ送信される（ステップＳ７２）。このリモコン選択情報は、情報管理部６０によって利用者データベース５２に蓄積される（ステップＳ７４）。このため、前記図２に示したメニュー画面の生成に、付加画面のリモコン選択情報も参照されるようになる。また、付加画面生成プログラム６２Ｂによるテロップ等の生成においても、前記利用者データベース５２やＷｅｂ情報データベース５４の情報を参照することで、個々の利用者１０の興味等に適した商品案内やＣＭ等を積極的に表示することができる。更に、これらテロップ等をテレビコンテンツやＷｅｂコンテンツに付加する信号処理をオンデマンドコントローラ３０側で行うため、個々の利用者に対応した画面構成が可能となり、画面１４への表示も容易に行うことができる。例えば、図５(A)ではテロップＴＢが画面１４の下側に表示されているが、図５(B)では画面１４の上側に表示されている。このような付加画面の位置や大きさなどの表示形態の設定も、利用者１０のリモコン操作に基づいて信号処理部３６で行われる。
【００５０】
なお、本発明は、上述した実施例に限定されるものではなく、本発明の要旨を逸脱しない範囲内において種々変更を加えることができる。例えば、以下のものも含まれる。
(1)前記実施例で示したシステム構成は一例であり、同様の効果を奏する範囲内で適宜変更可能である。例えば、オンデマンドコントローラ３０の送受信部３４を、既存のインターネット接続用のモデム・ルータ等で代用するようにしてもよいし、オンデマンドコントローラ３０の機能をテレビ受像機１２に組み込むようにしてもよい。更に、前記テレビ受像機１２側に、図示しないカメラとマイクを設けてインターネット通話を行うようにしてもよい。
(2)前記実施例を組み合わせるようにしてもよい。例えば、実施例１と実施例２を組み合わせることで、ＴＶ局サイト７０がインターネット４０を通じて提供している番組，ＴＶ放送局７１やケーブルＴＶ局７４が放送している番組，Ｗｅｂサイト７２がインターネット４０を通じて提供しているコンテンツ，をそれぞれ視聴ないし閲覧することができる。
【００５１】
(3)利用者１０がスマートフォンなどの移動通信端末８０を保有している場合には、その保有の有無を利用者固有情報として記録するとともに、テレビ受像機１２において視聴ないし閲覧を途中で停止したコンテンツがある場合に、そのコンテンツと停止位置を利用者固有情報として記憶しておく。利用者１０が移動通信端末８０で前記コンテンツの視聴ないし閲覧を要求したときに、前記利用者固有情報を参照すれば、前記停止位置からコンテンツを視聴ないし閲覧できるようになる。
(4)前記図５で示したテロップＴＡ，ＴＢで流す情報も一例であり、交通機関の運行状況や緊急災害情報など、必要に応じた各種の情報を流すようにしてよい。また、これらの情報を音声で流すようにしてもよい。
(5)前記図４(A)〜(F)に示したメニュー画面は一例であり、メニューの表示形態は多種多様に変更可能である。また、表示されるＷｅｂサイト７２も同様であり、天気情報サイト，動画投稿サイト，ポータルサイトなどに限定されるものではなく、通信販売サイトやニュースサイトなどであってもよい。
(6)前記実施例では、リモコン２０のボタン操作で各種の動作指示を行うこととしたが、テレビ受像機１２の画面上にスイッチないしボタンを表示し、それらをカーソルで選択するとともにリモコン２０でボタン操作するといった方法で、動作指示を行うようにしてもよい。また、スマートフォンや携帯電話などがリモコン２０としての機能を有する場合や、ディスクプレーヤ等のリモコンがリモコン２０の代わりに使用できるときは、それらスマートフォン等をリモコン２０の代わりに使用するようにしてもよい。
(7)本発明は、インターネットを利用したシステムであるが、各種のネットワークに適用可納である。
【産業上の利用可能性】
【００５２】
本発明によれば、既存のテレビ受像機とそのリモコンを用い、利用者の関心度に応じたメニュー画面を表示して、容易に好みのテレビ番組の視聴やＷｅｂサイトの閲覧を行うことができ、オンデマンド表示システムの用途に好適である。
【符号の説明】
【００５３】
１０：利用者
１２：テレビ受像機
１４：画面
１６：アンテナ
２０：リモコン（リモートコントローラ）
２２：電源ボタン
２４：数字ボタン
２６：方向選択ボタン
２８：決定ボタン
３０：オンデマンドコントローラ
３２：リモコン信号解析部
３４：送受信部
３６：信号処理部
３８：メモリ
４０：インターネット
５０：オンデマンドコントロールセンタ
５２：利用者データベース
５４：Ｗｅｂ情報データベース
５６：コンテンツデータベース
５８：送受信部
６０：情報管理部
６２：画面生成部
６２Ａ：メニュー画面生成プログラム
６２Ｂ：付加画面生成プログラム
６４：配信部
７０：ＴＶ局サイト
７１：ＴＶ放送局
７２：Ｗｅｂサイト
７４：ケーブルＴＶ局
８０：移動通信端末
１００：オンデマンド表示システム
１１６：アンテナ
１７１：ＴＶ放送局
Ｍ１，Ｍ２：メニューボタン
ＭＴ１〜ＭＴ３，ＭＷ１〜ＭＷ４，ＭＣ１〜ＭＣ５，ＭＣ１１〜ＭＣ１５：メニュー
Ｂ１〜Ｂ３：ボタン
ＴＡ，ＴＢ：テロップ
Ｔ１〜Ｔ３：情報
ＷＳ：トップページ
【図１】
0005852867.tif 000002
【図２】
0005852867.tif 000003
【図３】
0005852867.tif 000004
【図４】
0005852867.tif 000005
【図５】
0005852867.tif 000006
【図６】
0005852867.tif 000007